(57)【要約】【課題】  画像データベースにおいては、画像を様々なフォーマットに変換して入出力する機能が求められているが、画像データは通常テキストデータに比べデータ量が大きいため、画像処理にかかる時間はかなり長くなる。また扱う画像が多くなるほどコンピュータにかかる処理の負荷が増大するという問題がある。本発明は前記問題を解決することを課題とする。【解決手段】  画像変換の処理手順指示に基づき画像データに画像変換処理を施す画像処理システムであって、画像データを含む作業ファイルを管理する作業ファイル管理サーバと、画像処理を制御する画像処理制御サーバと、画像処理を行う画像処理装置と、画像処理済みの画像データを管理する画像データベースサーバとを備える事を特徴とする画像処理システム。【選択図】図１
2006099363.tif 000002
【特許請求の範囲】
【請求項１】
画像変換の処理手順指示に基づき画像データに画像変換処理を施す画像処理システムであって、
画像データを含む作業ファイルを管理する作業ファイル管理サーバと、
画像処理を制御する画像処理制御サーバと、
画像処理制御サーバによる画像変換の処理手順指示及び作業ファイルに基づき画像処理を行う画像処理装置と、
画像処理済みの画像データを管理する画像データベースサーバと、
を備えることを特徴とする画像処理システム。
【請求項２】
前記画像処理装置は1以上存在することを特徴とする請求項1記載の画像処理システム。
【請求項３】
前記画像処理制御サーバは画像処理装置の稼働状況表により稼働可能な画像処理装置を選択することを特徴とする請求項２に記載の画像処理システム。
【請求項４】
前記作業ファイルはユーザから送信された画像処理要求に対して付与される管理ID及び変換元画像データ又は処理済画像データ及び各画像データに対して付与されるサブ管理IDとからなることを特徴とする請求項１又は請求項２又は請求項３に記載の画像処理システム。
【請求項５】
前記作業ファイル管理サーバは作業ファイルを格納して一元管理する作業領域を備え、前記作業領域は入力用格納領域及び出力用格納領域を備えることを特徴とする請求項４に記載の画像処理システム。
【請求項６】
前記作業ファイル管理サーバはネットワークを介して画像データを受信し、
前記画像処理制御サーバはネットワークを介して画像変換の処理手順指示を受信する
ことを特徴とする請求項１乃至請求項５に記載の画像処理システム。
【発明の詳細な説明】
【技術分野】
【０００１】
本発明は、データベースにおいて画像を入出力する際の処理に関するものである。
【背景技術】
【０００２】
特許文献１によれば、時間的に連続した映像データを所定のフォーマットで圧縮可能な複数の圧縮装置と通信可能に構成された映像データ処理装置であって、圧縮の対象となる映像データ中から音声データを取り出す音声データ処理手段と、音声データが取り出された後の映像データを所定の単位で分割する分割処理手段と、取り出された音声データ及び分割された各映像データを圧縮装置に対して送信し、複数の圧縮装置に対してデータの圧縮処理を分散処理させる送信指示手段と、を有することを特徴とする映像データ処理装置が提案されている。
【０００３】
画像データのデータ量はテキストデータに比べると大きく、画像処理にかかる処理負荷は大きい。したがって印刷カタログ用データベースや商品の画像データ及び商品情報からなる商品画像データベースのような画像データ及びテキストデータ等を扱う画像データベースにおいて、画像処理や画像データの入出力に要する時間はテキストデータベースにおいて要する時間と比べてかなり長くなる。しかし従来、これらの処理は同一のコンピュータ上で行われていた。
【特許文献１】特開２００４−１５９０７９号公報
【発明の開示】
【発明が解決しようとする課題】
【０００４】
画像データベースにおいては、画像を登録する際にその画像をそのまま登録するだけでなく、色々なフォーマットの画像、例えばアイコン画像やＷｅｂ用の画像等に変換してデータベースに登録したり、また画像データベースから出力するときにおいても同様に指定の画像フォーマットに変換して出力する機能が求められている。しかしこれらの処理は通常同一のコンピュータ上で行うため、扱う画像の点数が多くなればなるほどコンピュータにかかる処理の負荷が増大するという問題がある。本発明は前記問題を解決することを課題とする。
【課題を解決するための手段】
【０００５】
画像変換の処理手順指示に基づき画像データに画像変換処理を施す画像処理システムであって、
画像データを含む作業ファイルを管理する作業ファイル管理サーバと、
画像処理を制御する画像処理制御サーバと、
画像処理制御サーバによる画像変換の処理手順指示及び作業ファイルにより画像処理を行う画像処理装置と、
画像処理済みの画像データを管理する画像データベースサーバと、
を備える事を特徴とする画像処理システムにより、前記課題を解決する。
【発明の効果】
【０００６】
画像データと画像変換の処理手順指示の流れを分け、作業ファイル管理サーバにより画像データを一元的に扱うことにより画像データが無駄に行き来することを抑えることができる。
画像データを大量に扱う場合でも、画像処理装置を複数設置することで処理を高速化することができる。
【発明を実施するための最良の形態】
【０００７】
以下、本発明の実施の形態について、図面を用いて説明する。図1は、本発明の全体システムの概要を示す図である。本発明による画像処理システム１は画像データベースサーバ１１、作業ファイル管理サーバ１２、画像処理制御サーバ１３、画像処理装置１４を備え、ユーザ端末１５と直接又はネットワークを介して接続可能である。
【０００８】
作業ファイル管理サーバ１２は作業領域２を有し、図２に示すように作業領域２は画像処理システム１による画像処理の対象となる変換元画像データを格納するため或いは変換元画像データの格納先を記録するための入力用格納領域２１及び画像処理システム１により画像処理を行った結果作成された処理済画像データを格納するため或いは処理済画像データの格納先を記録するための出力用格納領域２２を備えるものとする。また、作業ファイル管理サーバ１２は図３に示すようにユーザから送信された画像処理要求に対して管理ＩＤを付与し、変換元画像データ及び処理済画像データをサブ管理ＩＤとファイル名もしくはデータの格納先により管理する。作業ファイルとは、前記管理ID、サブ管理ID、及び変換元画像データ又は処理済画像データからなるファイルを指す。
【０００９】
画像処理制御サーバ１３は、各画像処理装置１４を管理するサーバであり、本実施の形態における画像処理装置１４は作業ファイル管理サーバ１２及び画像処理制御サーバ１３と接続可能な1以上のコンピュータに設置されているものとする。
【実施例】
【００１０】
次に、本システムを用いて画像処理を行うときの手順について説明する。図４は画像処理システム１により画像処理を行う際の実施手順の一例を示すシーケンス図である。
【００１１】
まず、ユーザはユーザ端末１５から作業ファイル管理サーバ１２に画像処理要求を送信する。画像処理要求を受信した作業ファイル処理サーバ１２は、受け付けた画像処理の作業領域２を示す管理ＩＤをユーザに送信する。
【００１２】
次に、ユーザは管理ＩＤと共に画像処理の対象となる変換元画像データを作業ファイル管理サーバ１２の入力用格納領域２１に送信し、画像処理制御サーバ１３に画像変換の処理手順指示を送信する。変換元画像データにはサブ管理ＩＤが付与される。画像変換の処理手順指示は、例えば次のような内容である。まず、変換元画像データを取得する。次に画像を変倍する。更に色変換を行う。
【００１３】
画像処理制御サーバ１３は図５に示す順序で処理可能な状態の画像処理装置１４を図６に示す画像処理装置の稼働状況表により探索し、稼働状況が空きとなっている画像処理装置１４を選択する。画像処理装置１４を選択する際の優先順位は予め定めておくことが可能である。
【００１４】
続いて画像処理制御サーバ１３は前記画像処理装置１４に画像変換の処理手順指示を送信する。画像処理装置１４の稼働状況は、画像処理装置の稼働状況に応じて記録され、画像変換の処理手順指示が送信された前記画像処理装置１４の稼働状況は空きから稼働中に切り替えられる。
【００１５】
前記画像処理装置１４は画像変換の処理手順指示による画像処理の対象となる変換元画像データを要求する。
作業ファイル管理サーバ１２は前記画像処理装置１４から要求された変換元画像データを入力用格納領域２１から前記画像処理装置１４に送信する。
【００１６】
前記画像処理装置１４は画像変換の処理手順指示に基づき変換元画像データに画像処理を行う。画像処理が終了すると、処理済画像データを作業ファイル管理サーバ１２の出力用格納領域２２に送信する。処理済画像データにはサブ管理ＩＤが付与される。
画像処理手段１４は処理終了の報告を画像処理制御装置１３に送信する。画像処理装置の稼働状況表は稼動を終了した画像処理装置１４の稼働状況を稼働中から空きに切り替える。
画像処理制御サーバ１３は処理終了の報告をユーザに送信する。
【００１７】
画像処理終了の報告を受信したユーザは出力用格納領域２２に格納されている処理済画像データを画像データベースサーバ１１に登録するよう作業ファイル管理サーバ１２に指示を送信する。
作業ファイル管理サーバ１２は出力用格納領域２２に格納されている処理済画像データを画像データベースサーバ１１に格納する。最後に作業ファイル管理サーバ１２は作業領域２から変換元画像データ及び処理済画像データ或いはその格納先の記録を削除する。
【図面の簡単な説明】
【００１８】
【図１】本発明における画像処理システムの構成を示す図である。
【図２】作業領域を示す図である。
【図３】作業ファイルの管理構造を示す図である。
【図４】本発明により行なわれる処理の流れを示す図である。
【図５】画像処理制御サーバの処理の流れを示す図である。
【図６】画像処理装置の稼働状況表。
【符号の説明】
【００１９】
１      画像処理システム
１１    画像データベースサーバ
１２    作業ファイル管理サーバ
１３    画像処理制御サーバ
１４    画像処理装置
１５    ユーザ端末
２      作業領域
２１    入力用格納領域
２２    出力用格納領域
【図１】
2006099363.tif 000003
【図２】
2006099363.tif 000004
【図３】
2006099363.tif 000005
【図４】
2006099363.tif 000006
【図５】
2006099363.tif 000007
【図６】
2006099363.tif 000008